(57)【要約】  操作者等の操作具合によらずに安定した発電量を確保することができ、簡単な装置により、各種機器に利用できる発電装置を提供すること。    手動操作によって発電を行う発電部（６８）を有する発電装置（６）であって、前記手動操作に用いられる操作手段（４）の操作ストロークの一部の操作により、弾性部材（２５）を変形させてエネルギーを蓄積し、前記操作ストロークの残りのストロークの一部において、前記エネルギーを瞬時に放出して前記発電部（６８）を発電するとともに作動部（２７）を動作させ、さらに残りのストロークにおいて、動作部材（７）を手動により移動可能とする。
2013085057.tif 000002
【特許請求の範囲】
【請求項１】
手動操作によって発電を行う発電部（６８）を有する発電装置（６）であって、
前記手動操作に用いられる操作手段（４）の操作ストロークの一部の操作により、弾性部材（２５）を変形させてエネルギーを蓄積し、前記操作ストロークの残りのストロークの一部において、前記エネルギーを瞬時に放出して前記発電部（６８）を発電するとともに作動部（２７）を動作させ、さらに残りのストロークにおいて、動作部材（７）を手動により移動可能とすることを特徴とする発電装置。
【請求項２】
前記作動部（２７）は、磁極を有する回転自在な回転体（２７）であって、該回転体（２７）は、前記動作部材（７）の移動経路中に突出して該動作部材（７）の移動を規制する規制部位（２８ａ）と、前記動作部材（７）の移動を許容する非規制部位（２８）とを有し、前記発電部（６８）の発電に伴い電磁石（３０）を磁化させて前記回転体（２７）を回転させ、前記動作部材（７）の移動を規制または許容することを特徴とする請求項１に記載の発電装置。
【請求項３】
前記発電部（６８）により前記作動部（２７）を動作させるための認証手段（９）を有し、該認証手段（９）による認証が許可されたときに、前記発電部（６８）により前記作動部（２７）を動作させることを特徴とする請求項１または２に記載の発電装置。
【請求項４】
前記認証手段（９）における認証動作のための電力供給を、前記発電部（６８）により行うことを特徴とする請求項３に記載の発電装置。
【発明の詳細な説明】
【技術分野】
【０００１】
本発明は、手動操作によって発電を行い、その発電した電力を利用して各種機器を作動させる発電装置に関する。
【背景技術】
【０００２】
従来、手動操作などの動作によって発電を行い、外部から電力供給を要することなく、その発電した電力を利用して各種機器を作動させる発電装置が、環境保護の観点や各種装置の構造の簡易化を目的に開発されている。たとえば、施解錠装置を備えるキャビネットにおいて、施解錠装置にて使用する電力を確保するために、キャビネットの引手部の操作により発電を行う発電装置を設けるようにしており、利用者は特に手動により発電を行っていることを意識することなく使用できるようになっている（例えば、特許文献１参照）。【０００３】
また、手動操作などの動作によって発電を行い、その発電した電力により送信を行う技術も開発されている。例えば、クレセント錠に操作レバーの操作に伴って発電する圧電素子を内蔵し、クレセント錠のロック状態が解除されたときに、当該情報を他に送信する技術もある（例えば、特許文献２参照）。
【先行技術文献】
【特許文献】
【０００４】
【特許文献１】特開２００８−１５６９７３号公報
【特許文献２】特開２００５−１２７０９６号公報
【発明の概要】
【発明が解決しようとする課題】
【０００５】
しかしながら、特許文献１に記載の発電装置にあっては、引手部の操作により回転する回転軸部（操作部）が蓄力可動部材（エネルギー蓄積手段）と連係されており、蓄力可動部材が蓄力位置から待機位置に向けてコイルバネの付勢力により移動する際に、蓄力可動部材の伝達爪が発電部の歯車部に係合して、この歯車部を回転させるようになっており、その後、伝達爪の係合が外れて、歯車部が慣性で自由回転されることで発電部にて発電が行われるようになっている。即ち、引手部が利用者によって引かれた際にコイルバネが延び、引手部から手が離れた際のコイルバネの復元力によって、発電部の歯車部を回転させるため、利用者が引手部を引く速度や利用者が引手部から手を離す際の離し具合によっては、安定した発電量を確保できるとは限らず、例えば、利用者が引手部をゆっくり離した場合には、コイルバネの復元力が蓄力可動部材に充分に伝わらず、蓄力可動部材の移動速度が弱まり、施解錠装置（作動部）を作動させるだけの有効な発電量を確保できなくなり、施解錠装置に対して意図した電力量を与えることができず、施解錠装置が作動しなくなるという不具合が生じる虞がある。【０００６】
また、特許文献２に記載の発電装置にあっては、支持梁の両端部に固定した鋼球の一方が、圧電発電装置を殴打することができる位置に配置してあり、操作レバーの回動に伴い正逆回転する従動ギアの作動体によって、他方の剛球を殴打して振動させ、この他方の剛球の振動に伴い一方の剛球が共振動を開始し、圧電発電装置の圧電素子を連続的に殴打することで発電し、該発電された電力を利用して、ロック装置の施錠又は開錠状態の情報を送信するようになっている。即ち、操作レバーの操作量や操作速度によって、剛球の振動量が変化し、圧電発電装置を殴打する回数や強度が変化し、それに伴い発電量も変化することになる。そのために特許文献２に記載の発電装置にあっては、所定の電圧を得るまでに時間がかかってしまい、必要なタイミングで所定の電力を得ることができないという問題がある。【０００７】
本発明は、このような問題点に着目してなされたもので、手動操作で操作具合が変動しても、簡単な装置により、的確なタイミングで必要な電力を安定的に出力することができる発電装置を提供することを目的とする。
【課題を解決するための手段】
【０００８】
前記課題を解決するために、本発明の発電装置は、
手動操作によって発電を行う発電部（６８）を有する発電装置（６）であって、
前記手動操作に用いられる操作手段（４）の操作ストロークの一部の操作により、弾性部材（２５）を変形させてエネルギーを蓄積し、前記操作ストロークの残りのストロークの一部において、前記エネルギーを瞬時に放出して前記発電部（６８）を発電するとともに作動部（２７）を動作させ、さらに残りのストロークにおいて、動作部材（７）を手動により移動可能とすることを特徴としている。
この特徴によれば、操作ストローク内で弾性部材を変形させてエネルギーを蓄え、そのエネルギーを操作ストローク内で瞬間的に放出することができるため、簡単な装置により、的確なタイミングで必要な電力を安定して得ることができるばかりか、操作者の操作具合によらずに安定した発電量を確保することができる。【０００９】
本発明の発電装置は、
前記作動部（２７）は、磁極を有する回転自在な回転体（２７）であって、該回転体（２７）は、前記動作部材（７）の移動経路中に突出して該動作部材（７）の移動を規制する規制部位（２８ａ）と、前記動作部材（７）の移動を許容する非規制部位（２８）とを有し、前記発電部（６８）の発電に伴い電磁石（３０）を磁化させて前記回転体（２７）を回転させ、前記動作部材（７）の移動を規制または許容することを特徴としている。
この特徴によれば、磁極を有する作動部が、発電部による発電に伴い磁化された電磁石によって向きを変えるため、作動部の制御を容易にでき、動作部材を規制する規制部位及び非規制部位を有する回転体を回転させるだけで、動作部材の移動規制または許容を確実に行うことができる。【００１０】
本発明の発電装置は、
前記発電部（６８）により前記作動部（２７）を動作させるための認証手段（９）を有し、該認証手段（９）による認証が許可されたときに、前記発電部（６８）により前記作動部（２７）を動作させることを特徴としている。
この特徴によれば、認証手段により認証が許可された場合に、作動部を動作させることができるため、当該認証手段を出力動作のためのキーとして利用することができる。【００１１】
本発明の発電装置は、
前記認証手段（９）における認証動作のための電力供給を、前記発電部（６８）により行うことを特徴としている。
この特徴によれば、発電部が、認証手段用にも電力を供給するため、電力供給のための構成品数を減らし構造を単純化できる。【００１２】
本発明の発電装置は、
前記操作手段は、第１係合部を有し、前記発電部は、前記第１係合部に係合可能な第２係合部を有し、前記操作手段が正方向または逆方向へ動作される際に、前記第１係合部と前記第２係合部の係合が外れ、前記第１係合部と前記第２係合部の位置関係が入れ替わることを特徴としている。
この特徴によれば、第１係合部と第２係合部の係合が外れた後は、操作手段の動作方向に対して確実に第１係合部の位置が第２係合部位置が入れ替わり、操作手段の次の動作準備が完了することになる。【００１３】
本発明の発電装置は、
前記弾性部材は、前記操作手段が正方向と逆方向のいずれの方向に移動しても、該移動に伴うストロークの少なくとも一部の動作をエネルギーとして蓄積及び放出が可能になっていることを特徴としている。
この特徴によれば、操作手段のストロークの正方向と逆方向でエネルギーの蓄積と放出が可能なために、ストロークの方向を変えて少なくとも互いに異なる２つの機能に利用できることになる。【００１４】
本発明の発電装置は、
前記発電部は、直流電流を発電するとともに、前記操作手段が正方向に移動されたときの前記発電部の電極の極性と、前記操作手段が逆方向に移動したときの前記発電部の電極の極性と、が互いに反転するようになっており、該操作手段の正方向の移動と逆方向の移動とでは、前記出力動作が異なる作動態様となることを特徴としている。
この特徴によれば、操作者の手動等の操作によって、操作手段が正方向に移動されたときと、操作手段が逆方向に移動したときと、で出力動作の作動態様を変化させることができる。【００１５】
本発明の発電装置は、
前記操作手段と前記弾性部材が前記操作ストロークの一部にて連係して前記エネルギーを蓄え、前記操作手段と前記弾性部材が前記操作ストロークの他の一部にて非連係となり、前記エネルギーの瞬時放出が機能することを特徴としている。
この特徴によれば、弾性部材及び操作手段の連係及び非連係という簡素な機構により操作手段のストローク中におけるエネルギーの蓄積と瞬時放出を可能にできる。【００１６】
本発明の発電装置は、
前記操作手段は、少なくとも前記発電のための第１機能と、所定の機械的な機能を達成するための第２機能と、を一方向の移動動作によって実現するようになっており、該操作手段の一方向への移動動作の一部にて、前記弾性部材と前記操作手段とが連係されて連係状態となって前記第１機能のために前記エネルギーを蓄え、非連係状態のときに前記第２機能を達成するようになっていることを特徴としている。
この特徴によれば、弾性部材と操作手段との連係状態のときに、弾性部材がエネルギーを蓄えることができ、このエネルギーを瞬間的に電気に変換して、出力動作を行うための有効な電力を発生させることができ、かつ操作手段の一方向の移動によって少なくとも２つの機能を実現できる。即ち操作者は、所定の１動作の手動等の操作を行う間に、出力動作を行うための電力と、所定の機械的な機能という少なくとも２つの機能を達成することができる。【００１７】
本発明の発電装置は、
開閉装置を開放または開放不能にする所定の動作部材と、該動作部材の移動を規制する規制部材と、が設けられ、前記第２機能により前記動作部材を動作させ、前記第１機能により発電された電力によって、前記規制部材による前記動作部材の動作の規制またはその解除がなされることを特徴としている。
この特徴によれば、第２機能により開閉装置の動作部材を動作させて開閉装置を開放または開放不能にするとともに、第１機能により規制部材による動作部材の動作の規制またはその解除に必要な電力を確保することができ、操作者は、操作手段を操作することに応じて、開閉装置を開放または開放不能にする機能と、動作部材の動作の規制またはその解除する機能とを同時に達成することができる。【００１８】
本発明の発電装置は、
前記操作手段は、第１係合部を有し、前記発電部は、前記第１係合部に係合可能な第２係合部を有し、前記操作手段の移動に伴うストロークの動作により、少なくとも一部のストローク中に前記第１係合部が前記第２係合部に係合し、前記ストロークの他の一部のストローク中に前記第１係合部が前記第２係合部の係合が外れるように構成されることを特徴としている。
この特徴によれば、操作手段の移動に伴うストロークの中で、発電磁性体を的確に所定位置まで移動させ、瞬時に復帰させることができる。【００１９】
本発明の発電装置は、
前記被供給部に電力を供給するための第２の操作手段が設けられ、前記第２の操作手段の操作ストロークの少なくとも一部の操作によりエネルギーを蓄積し、前記瞬時放出手段は、前記第２の操作手段の操作ストロークの少なくとも残りのストロークにおいて該弾性部材に蓄積されたエネルギーを瞬時に放出することを特徴としている。
この特徴によれば、第２の操作手段を操作することで、弾性部材及び瞬時放出手段を利用して、認証手段用の被供給部に電力を供給することができる。
【図面の簡単な説明】
【００２０】
【図１】実施例１における発電装置を備える什器を示す斜視図である。
【図２】什器の扉の内部構造を示す部分断面図である。
【図３】実施例１における出力された電力のピーク電流を示す図である。
【図４】実施例１における発電装置を示す平面図である。
【図５】実施例１における発電装置を示す回路図である。
【図６】操作前の発電装置を示す正面図である。
【図７】施錠時に操作ギアの歯部が発電ギアの歯部に係合される状態を示す正面図である。
【図８】施錠時にコイルバネにエネルギーが蓄えられる状態を示す正面図である。
【図９】施錠時にコイルバネにエネルギーが放出される状態を示す正面図である。
【図１０】解錠時に操作ギアの歯部が発電ギアの歯部に係合される状態を示す正面図である。
【図１１】解錠時にコイルバネにエネルギーが蓄えられる状態を示す正面図である。
【図１２】解錠時にコイルバネにエネルギーが放出される状態を示す正面図である。
【図１３】解錠状態の発電装置を示す正面図である。
【図１４】施錠状態の発電装置を示す正面図である。
【図１５】実施例２における施錠状態の発電装置を示す平面図である。
【図１６】実施例２における解除状態の発電装置を示す平面図である。
【図１７】（ａ）は、実施例３における認証手段及び発電装置を示す平面断面図であり、（ｂ）は、認証手段を示す正面図である。
【図１８】（ａ）は、実施例３における発電装置を示す平面断面図であり、（ｂ）は、同じく正面断面図である。
【図１９】実施例３における発電装置を示す回路図である。
【図２０】（ａ）〜（ｄ）は、第２の操作手段を操作して発電する状況を示す説明図である。
【図２１】（ａ）〜（ｅ）は、操作手段を操作して解錠する手順を示す説明図である。
【発明を実施するための形態】
【００２１】
本発明に係る発電装置を実施するための形態を実施例に基づいて以下に説明する。
【実施例１】
【００２２】
実施例１に係る発電装置につき、図１から図１４を参照して説明する。図１の符号１は、オフィス等に設置される什器１である。この什器１は、両開き式の扉２が設けられている。そして、この扉２の前面には、扉２を開放するための取手部３と、扉２の施解錠を行うための摘み部４（操作部）と、摘み部４による扉２の開閉操作を認証するための認証手段を構成するテンキー９、インジケータ１０そして太陽電池１１とが設けられている。なお、取手部３は、ラッチ機構（図示略）と連係されており、ラッチ機構により扉２が不用意に開放されないようにするとともに、取手部３を把持することでラッチ機構が解除されて扉２が開放可能となる。【００２３】
図２に示すように、扉２の内部には、本発明が適用された発電装置６が設けられている。この発電装置６は、前述した摘み部４を有しており、扉２の施解錠を行うとともに、認証手段とも連動されており、認証手段により認証が許可された操作者が施解錠を行うことができる。【００２４】
次に、認証手段は、利用者が暗証番号を入力するためのテンキー９と、認証が許可されたか否かを利用者に報知するインジケータ１０と、テンキー９入力に基づく制御信号に応じて電気回路５の導通状態および非導通状態を切り換えるスイッチ３３と、これらが接続され認証判断等を行う制御部３５とを有している（図５参照）。なお、テンキー９およびインジケータ１０は、扉２の前面に配設されている。【００２５】
また、本実施例１の認証手段は、太陽電池１１から供給される電力によって作動する。この認証手段は、電気回路による電気的な処理のみを行い、物理的な機械等の動作を行わないようにされているため、オフィス等の天井側に設置された室内灯などの微弱な光源を用いて太陽電池１１により発電される微量な電力でも充分に作動するようになっている。【００２６】
そして、認証手段の制御部３５は、テンキー９で利用者により入力された暗証番号が、予め登録されている認証番号と一致するか否かを判断して、暗証番号と認証番号が一致して認証を許可した場合には、後述する発電装置６におけるスイッチ３３を通電可能状態であるＯＮ状態に制御するとともに、インジケータ１０を点灯させる。また、暗証番号と認証番号が一致せず認証を拒否した場合には、スイッチ３３を通電不可能状態であるＯＦＦ状態に制御するとともに、インジケータ１０を点滅させる。【００２７】
また、認証手段の制御部３５には、太陽電池１１で発電された電力を蓄えるバッテリ（図示略）が設けられている。なお、インジケータ１０の代わりにＬＥＤ表示器を用いて、利用者に認証の可否を報知するようにしてもよい。【００２８】
発電装置６は、扉２を開放不能にするための矩形状の棒状部材となっている動作部材７（所定の目的物）を有しており、この動作部材７が係合方向（左方向）に移動されることで、その先端部が他方の扉２に形成された受け座８に挿入されて係合し、扉２が開放不能になる。また、動作部材７が解除方向（右方向）に移動されることで、その先端部が他方の扉２に形成された受け座８から脱し、扉２が開放可能になる。【００２９】
次に、実施例１に係る発電装置６について、図２から図１４を参照して説明する。図２に示すように、発電装置６は、扉２の前面を構成する前面板１２の後面側に設けられており、発電装置６には、動作部材７を直線状に案内するために、上下２条の凸条で形成される案内部１４が設けられている。この案内部１４に沿って動作部材７が左右方向に移動可能となっている。【００３０】
前述した摘み部４は、正面視で略円形状をなし、前面板１２に配置されており、操作手段を構成している。そして、摘み部４の後面側には、摘み部４の回転と同時に回転される操作ギア６５が設けられている。この操作ギア６５の歯部６６は、円形状をなす操作ギア６５の円周上の一部に形成されている。なお、摘み部４と操作ギア６５とは、連動軸６７により相対的に固定されている（図４参照）。また、操作ギア６５の後面側には、操作ギア６５の円周近傍に設けられた操作ピン２２が設けられている。【００３１】
図６に示すように、所定の目的物である動作部材７には、操作ピン２２が係合するための上下に延びる長孔２０が形成されている。操作者が摘み部４を回転操作させることで操作ギア６５が周方向に回転するようになり、それに伴って操作ピン２２の位置が操作ギア６５の回転に伴って移動され、操作者の手動操作力が操作ピン２２を介して長孔２０から動作部材７に伝達される。本実施例４では、操作者が摘み部４を反時計回りに回転させることで、動作部材７が係合方向（左方向）に移動するとともに、操作者が摘み部４を時計回りに回転させることで、動作部材７が脱離方向（右方向）に移動するようになっている。【００３２】
このように摘み部４を操作することで、操作ギア６５の回転方向及び動作部材７の移動方向は、それぞれ係合方向（正方向）または解除方向（逆方向）に操作されるようになっている。【００３３】
また、発電装置６の取付金具３９の後部には、発電機６８（発電部）が取り付けられている（図４参照）。この発電機６８は直流電流を発電（第１機能）するようになっている。そして、操作ギア６５の上方位置には、発電機６８を駆動する発電ギア６９（可動部材）が設けられている。なお、この発電ギア６９は、発電機６８の駆動軸７１に対して相対的に固定されており、発電ギア６９は、駆動軸７１を中心として回転されるようになっている。この発電ギア６９には、その全周に歯部７０が形成されており、操作ギア６５の歯部６６が係合されるようになっている。【００３４】
さらに、発電ギア６９は、その左右端部に弾性を有する弾性部材として構成される左右一対のコイルバネ２５が取り付けられている。なお、コイルバネ２５の一端は、発電ギア６９に取り付けられるとともに、コイルバネ２５の他端は、取付金具３９に取り付けられている。また、この発電ギア６９は、その周方向に回転自在になっているが、左右両コイルバネ２５の付勢力によって、発電ギア６９は、その周方向の定位置に安定的に保持されるようになっている。なお、コイルバネ２５によって実施例１における弾性部材を構成している。【００３５】
さらに、案内部１４の右端側近傍には、回転軸２６により回転自在となっている略円形状をなす回転体２７が設けられている。この回転体２７は、その一部が直線状に切り欠かれて切欠部２８（非規制部位）が形成されている。図６に示すように、回転体２７が回転され、その切欠部２８が下方位置にあるときには、動作部材７が最右方側の脱離位置まで移動できる。図１４に示すように、回転体２７が回転され、その切欠部２８が上方位置にあるときには、回転体２７の一部である規制部２８ａ（規制部位）が案内部１４の内部に配置されるようになり、動作部材７が回転体２７に接触してその移動動作が規制（ロック）されるようになっている。【００３６】
図６に示すように、回転体２７の内部には、磁性を有する永久磁石２９が設けられている。この永久磁石２９に外部から磁力が加わることで、回転体２７が回転されるようになっている。なお、回転体２７の切欠部２８が下方位置にあるときに、永久磁石２９の磁極の向きは、左方側がＮ極で右方側がＳ極となっている。そして、回転体２７の上方位置には、回転体２７に磁力を加える電磁石３０が配置されている。この電磁石３０は、鉄心の周りに銅線により形成されたコイルを配置したものとなっている。なお、回転体２７によって実施例１における作動部を構成している。【００３７】
図５に示すように、発電機６８から２つの電線３２が延びており、この電線３２が電磁石３０のコイルに接続されている。なお、この電線３２には、前述した認証手段によって制御されるＯＮ／ＯＦＦスイッチ３３が設けられている。認証が許可された場合には、発電機６８と電磁石３０との間のスイッチ３３がＯＮ状態となる。また、認証が不可だった場合には、発電機６８と電磁石３０との間のスイッチ３３がＯＦＦ状態となる。【００３８】
図６に示すように、操作者が施錠操作を行う際には、先ず前述した認証手段により認証が行われる。認証が許可された場合には、発電機６８と電磁石３０との間のスイッチ３３がＯＮ状態となる。その後、操作者は摘み部４を反時計回りに回転させる。そして、摘み部４の回転に伴い操作ギア６５が回転されることで、動作部材７が係合方向（左方向）に移動される（第２機能）。【００３９】
図７に示すように、動作部材７が所定量移動されたとき、即ち操作ギア６５が所定量回転されたときに、操作ギア６５の歯部６６が発電ギア６９の歯部７０と係合し、互いにギア６５，６９が連係されるようになっている。そして、操作ギア６５の反時計回りの回転とともに、発電ギア６９が時計回りに回転される。この発電ギア６９の回転とともに、発電ギア６９の左右のコイルバネ２５が延び始める。【００４０】
図８に示すように、操作者の手動操作により摘み部４を回転させて操作ギア６５が回転され続けることで、摘み部４に加わる手動操作によるエネルギーがコイルバネ２５を延ばすようになる。このコイルバネ２５には、動作部材７の移動に伴うストローク、即ち摘み部４の回転に伴うストロークの一部の動作が、コイルバネ２５の延長という機械的なエネルギーとして蓄えられる。【００４１】
図９に示すように、さらに操作ギア６５が所定量回転されると、操作ギア６５の歯部６６が発電ギア６９の歯部７０から外れ、互いにギア６５，６９の連係状態が断たれる（非連係状態）。そして、コイルバネ２５が有する復元力により一気にコイルバネ２５が短縮し、コイルバネ２５に蓄えられたエネルギーが瞬時に放出されて発電ギア６９を反時計回りに回転させる。【００４２】
この発電ギア６９の回転によって発電機６８にて発電が行われる。なお、このとき、発電機６８が発電した電力は、直流電流となっている。さらに、コイルバネ２５に蓄えられたエネルギーが瞬時に放出されるため、高い電圧を発生させることができる。なお、操作ギア６５の歯部６６が発電ギア６９の歯部７０から外れ、互いにギア６５，６９の連係状態が断たれることで、実施例１における瞬時放出手段が構成されている。【００４３】
詳しくは、コイルバネ２５の復元力により付勢された発電ギア６９の移動速度が一番速い地点において、図３（ａ）に示すようなピークを有する誘導電流が発生する。【００４４】
また、発電機６８が発電した電力は、分岐線３２ａの整流器３６ａを介して、回転体２７の上方位置に配置された電磁石３０に供給される。そして、通電された電磁石３０は一時的に磁化されて、電磁石３０の左端部がＮ極、右端部がＳ極となる磁場が発生する。このとき、電磁石３０が発生せる磁力により、回転体２７の内部の永久磁石２９が磁力の影響を受けて、回転体２７が回転軸２６と中心として回転され、その向きが切り換わるようになっている。なお、回転体２７は１８０°回転されることで、その向きが切り換わる。なお、動作部材７は、回転体２７の向きに係らず最左方側の係合位置まで移動できる。【００４５】
図８及び図９に示すように、回転体２７の向きが切り換わる前は、回転体２７の切欠部２８が下方位置に配置されている。電磁石３０が通電されることで、回転体２７の向きが切り換わった後は、回転体２７の一部が案内部１４内に配置されるようになる。【００４６】
図１０に示すように、操作者が解錠を行う際には、先ず前述した認証手段（図２，５参照）により認証が行われる。認証が許可された場合には、発電機６８と電磁石３０との間のスイッチ３３がＯＮ状態となる。その後、操作者は摘み部４を時計回りに回転させる。そして、摘み部４の回転に伴い操作ギア６５が回転されることで、動作部材７が脱離方向（右方向）に移動される（第２機能）。【００４７】
動作部材７が所定量移動されたとき、即ち操作ギア６５が所定量回転されたときに、操作ギア６５の歯部６６が発電ギア６９の歯部７０と係合し、互いにギア６５，６９が連係されるようになっている。そして、操作ギア６５の時計回り回転とともに、発電ギア６９が反時計回りに回転される。この発電ギア６９の回転とともに、発電ギア６９の左右のコイルバネ２５が延び始める。【００４８】
図１１に示すように、操作者の手動操作により摘み部４を回転させて操作ギア６５が回転され続けることで、摘み部４に加わる手動操作によるエネルギーがコイルバネ２５を延ばすようになる。このコイルバネ２５には、動作部材７の移動に伴うストローク、即ち摘み部４の回転に伴うストロークの一部の動作が、コイルバネ２５の延長というエネルギーとして蓄えられる。【００４９】
図１２に示すように、さらに操作ギア６５が所定量回転されると、操作ギア６５の歯部６６が発電ギア６９の歯部７０から外れ、互いにギア６５，６９の連係状態が断たれる（非連係状態）。そして、コイルバネ２５が有する復元力により一気にコイルバネ２５が短縮し、コイルバネ２５に蓄えられたエネルギーが瞬時に放出されて発電ギア６９を時計回りに回転させる。この発電ギア６９の回転によって発電機６８にて発電が行われ、図３（ｂ）に示すようなピークを有する誘導電流が発生する。なお、このとき、発電機６８が発電した電力は、前述の施錠操作時に発電した電力と同様に直流電流となっているが、その電極の極性は、逆になっている。【００５０】
即ち、発電機６８が発電した電力は、上述した施錠時とは逆方向に分岐線３２ｂのスイッチ３３及び整流器３６ｂを介して、回転体２７の上方位置に配置された電磁石３０に供給されるが、電磁石３０では、電磁石３０の左端部がＳ極、右端部がＮ極となる磁場が発生する。このように、摘み部４が係合方向（正方向）に操作されたときの発電機６８の電極の極性と、摘み部４が脱離方向（逆方向）に操作されたときの発電機６８の電極の極性と、が互いに反転するようになっている。【００５１】
そして、電磁石３０が発生せる磁力により、回転体２７の内部の永久磁石２９が磁力の影響を受け、回転体２７が回転軸２６と中心として回転され、その向きが切り換わるようになっている。このように、電磁石３０で動作する回転体２７を電磁石３０の磁極により制御できるようになり、操作者が摘み部４を手動操作することにより回転体２７を制御することができる。【００５２】
図１３に示すように、回転体２７の向きが切り換わった後は、回転体２７の切欠部２８が下方位置に配置され、動作部材７が脱離位置まで移動可能となる。操作者は、摘み部４を時計回りに回転させて動作部材７を脱離位置まで移動させることで、什器１と扉２が開放可能となる。【００５３】
操作者が施錠操作または解錠操作を行う際には、先ず前述した認証手段（図２，５参照）により認証を行うようになっているが、認証が不可だった場合には、発電機６８と電磁石３０との間のスイッチ３３がＯＦＦ状態となる（図５参照）。この状態で操作者が摘み部４を回転させると、操作ギア６５及び発電ギア６９は回転されるようになっているが、発電機６８と電磁石３０との間のスイッチ３３がＯＦＦ状態であるため、電磁石３０が通電されることはなく、回転体２７が回転されないようになっている。【００５４】
例えば、図１４に示すように、認証が不可だった場合には、操作者が解錠を行う際に摘み部４を操作しても、動作部材７の端部が回転体２７に接触してその移動が規制されるようになっている。この状態では、動作部材７の先端部は、他方の扉２に形成された受け座８（被係合部）に挿入されて係合された状態となっており、扉２を開放することができない。【００５５】
実施例１における発電装置６では、回転軸２６により回転自在の回転体２７は、少ない電力量（仕事量）でその向きの切り換えを行うことができ、回転体２７がその位置は変化せずにその向きが切り換わることで、案内部１４に沿って物理的に動作する動作部材７の規制またはその解除を行うことができ、動作部材７の規制またはその解除を少ない電力量で行うことができる。【００５６】
また、回転体２７が永久磁石２９を有するとともに、回転体２７の近傍に電磁石３０が配置され、電磁石３０に通電されることで、回転体２７の向きが切り換わるようになっていることで、永久磁石２９を有する回転体２７と電磁石３０という簡素な構成で、動作部材７の規制またはその解除を行うことができる。また、電磁石３０が消費する電力量は、回転体２７の向きを切り換えることができる電力量が確保できればよく、動作部材７の規制またはその解除を少ない消費電力で行うことができ、消費電力を抑えた発電装置６とすることができる。【００５７】
また、磁力により回転体２７の向きの切り換えを行うことができ、回転体２７の向きの切り換えのために回転体２７以外に機械的動作を行うバネ部材等の機械要素を設けずに済むので、少ない仕事量で回転体２７の向きの切り換えを行うことができる。【００５８】
このように物理的な機械の動作を行う回転体２７を有する発電装置６の作動に、操作者の手動操作を利用して発電された電力を用いるため、什器１全体の電力消費を抑えることができる。【００５９】
なお、前述のように、操作ギア６５と発電ギア６９の連係は、操作者が手動操作により摘み部４を回転させて動作部材７が所定量移動されたときになされるようになっている。即ち動作部材７は、手動操作により案内部１４に沿って動作され、案内部１４における回転体２７から離れた領域を動作部材７が動作中に、操作ギア６５と発電ギア６９の連係が行われ、動作部材７の移動に伴うストロークの一部の動作をエネルギーとしてコイルバネ２５が蓄えるようになる。【００６０】
このようにすることで、回転体２７が、動作部材７を規制する向き、またはその規制が解除される向きのいずれにあっても、コイルバネ２５に、動作部材７の移動に伴うストロークの一部の動作をエネルギーとして蓄えさせることができ、かつ操作ギア６５と発電ギア６９の連係状態が断たれて放出されたエネルギーを用いて発電機６８により発電が行われ、回転体２７の向きが切り換わるときに、動作部材７は回転体２７から離れた領域にあるため、回転体２７の回転が動作部材７により邪魔される虞がなくなる。【００６１】
なお、発電ギア６９は、摘み部４の移動に伴うストロークの一部にて操作ギア６５と連係が可能になっており、瞬時放出手段は、コイルバネ２５がエネルギーを蓄えた状態で発電ギア６９と操作ギア６５との連係を断つようになっており、機械エネルギーが発電機６８にて瞬間的に電力に変換され、電力が電磁石３０に直接供給されることで、コイルバネ２５がエネルギーを蓄えた状態で、瞬時放出手段により発電ギア６９と操作ギア６５との連係が断たれ、コイルバネ２５に蓄えられたエネルギーが一気に放出されるようになり、エネルギーを瞬間的に電気に変換して、回転体２７を作動させる有効な電力を発生させることができ、かつ発電された電力が電磁石３０にて即座に消費されるため、電気的なエネルギーの損失を防止しつつ、発電機６８で発電された電力を有効に利用することができる。【００６２】
なお、この回転体２７が動作部材７の少なくとも一部に係合して動作部材７の動作を規制するようになっており、回転体２７が作動されることにより、回転体２７と動作部材７との係脱の切り換えが行われることで、手動操作の対象となる動作部材７の規制が回転体２７により行われ、発電装置６を施解錠装置として用いることができ、かつ動作部材７に加わる手動操作力を即座に回転体２７の作動のために使用することができ、電気的なエネルギーの損失を防止しつつ、発電機６８で発電された電力を有効に利用することができる。
【実施例２】
【００６３】
次に、実施例２に係る発電装置６ｃにつき、図１５及び図１６を参照して説明する。特に図示しないが、上記した実施例１と同様に、什器に設けられた扉２には、扉２を開閉する際に操作者が把持する取手部が設けられている。この取手部には、操作者が取手部を把持することで回動されるラッチ把持部が配置されており、このラッチ把持部から上下方向にラッチロッド１０１が延設されている（図１５参照）。【００６４】
そして、操作者が扉２を開放しようと取手部を把持すると前述したラッチ把持部を介してラッチロッド１０１が回動される。なお、ラッチロッド１０１の上下端部には、ラッチ爪１０２が設けられており、このラッチ爪１０２が什器の本体側に設けられた被係止穴（図示略）に係止されることで、扉２が開放不能に閉鎖されるようになっている。【００６５】
また、ラッチロッド１０１は、ラッチ爪１０２が被係止穴（図示略）に係止される方向にバネ（図示略）等により付勢されており、操作者が取手部を把持することで、バネ（図示略）の付勢力に抗してラッチ爪１０２が被係止穴（図示略）から係脱され、扉２が開放可能となる。【００６６】
また、扉２には、実施例１の発電装置６と同様の発電装置６ｃが設けられており、この発電装置６ｃの摘み部４が取手部の近傍に配置されている。さらに、図１５に示すように、ラッチロッド１０１には、発電装置６ｃの動作部材７に係止される制御片１０３が固着されており、動作部材７が発電装置６ｃから突出された状態では、ラッチロッド１０１が回動不能に規制されている。【００６７】
図１６に示すように、前述した実施例１と同様に、認証手段（図示略）により認証が許可された場合には、操作者の手動操作により摘み部４を回転させれば、動作部材７が発電装置６ｃ内に引き戻される。そして、制御片１０３が動作部材７に規制されることなく、ラッチロッド１０１が回動可能になり、操作者は扉２を開放できるようになる。【００６８】
なお、前述した実施例１では、扉２を動作部材７により直接的に開放不能に閉塞しているが、本実施例２のように、発電装置６ｃをラッチ機構の一部に組み込んで、発電装置６ｃの動作部材７によりラッチ機構の動作を規制することで、扉２を動作部材７により間接的に開放不能に閉塞することができる。
【実施例３】
【００６９】
次に、実施例３に係る発電装置６０につき、図１７から図２１を参照して説明する。図１７（ａ）、（ｂ）に示すように、上記した実施例１と同様に、什器に設けられた扉２には、扉２を開放するための取手部と、扉２の施解錠を行うための摘み部３８（操作手段）と、摘み部３８による扉の開閉操作を認証するための認証手段とが設けられている。【００７０】
図１７（ａ）に示すように、扉２の内部には、本実施例の発電装置６０が設けられている。この発電装置６０は、前述した摘み部３８を有しており、扉２の施解錠を行うとともに、認証手段にも電力を供給するように構成されており、後述する操作者の操作によって、認証手段用の電力を発電することができる。【００７１】
本実施例３の認証手段は、利用者が暗証番号を入力するためのテンキー９と、テンキー９入力に基づく制御信号に応じて電気回路の導通状態および非導通状態を切り換えるスイッチ３３と、これらが接続され認証判断等を行う制御部３５とに加え、当該認証手段を電源オン状態にするための電源スイッチ７４（第２の操作手段）を有している。なお、テンキー９および電源スイッチ７４は、扉２の前面に配設されている。【００７２】
図１８（ａ）、（ｂ）に示すように、認証手段の電源スイッチ７４は、バネ部材５３により操作者の手前方向に付勢されたスイッチ本体５４と、このスイッチ本体５４の軸部５５回りに回動可能に枢支された回動体５６とから構成されており、この電源スイッチ７４のオフ状態において、この回動体５６の下方に延出した鍔部５６ａが、後述する発電機４０の回転軸に固定された係合体４５の上端部と係合可能な位置に配置されている。【００７３】
次に、本実施例３の発電装置６０について詳述する。発電装置６０は、前述した摘み部３８によって利用者に操作される。また、発電装置６は、前述の認証手段と連動されており、認証手段により認証が許可された利用者のみが解錠できるようになっている。【００７４】
図１７（ａ）、（ｂ）に示すように、発電装置６０は、引出しに内蔵されており、引出しの前面板の裏側に固定された取付金具６３をベースとしている。この取付金具６３には、後述する動作部材１３を直線状に案内するために案内部が設けられている。この案内部に沿って動作部材１３が左右方向（係合方向および非係合方向）に移動可能となっている。【００７５】
図１８（ａ）、（ｂ）に示すように、動作部材１３は、什器の左右方向に長辺部が伸ばされた長方形の板状に形成された胴体部１５を有しており、この胴体部１５には、什器の側板１６に形成された受け座１７（被係合部）に係合される矩形状の係合部１８が胴体部１５の左方向に突出して形成されているとともに、後述する回転体１９に接触される台形状の接触部１５ａが胴体部１５の右方向に突出して形成されている。【００７６】
また、動作部材１３は、後述する操作ギア２１の操作ピン２２が係合されて、利用者が動作部材１３を左右方向に操作するための操作孔２３を備えている。この操作孔２３は、略９０度の円弧状に形成された弧状部２３ａと、この弧状部２３ａの一端から連続して円弧の中心方向に向けて直線状に形成された線状部２３ｂとを有している。そして、操作ピン２２が操作孔２３の線状部２３ｂに係合されている状態で、利用者が摘み部３８を反時計回りに回転させることで、操作ギア２１の回転に伴って動作部材１３が左方向に移動される一方で、利用者が摘み部３８を時計回りに回転させることで、動作部材１３が右方向に移動されるようになっている。【００７７】
また、摘み部３８は、図１７（ａ）、（ｂ）に示すように、前方に突出し左右方向に延設され利用者に把持される把持部７２が形成されている。また、摘み部３８の後面の中心部分には、摘み部３８の後方側に棒状に突出された回転軸部７３が延設されている。そして、この回転軸部７３には、回転軸部７３と相対的に固定されて、摘み部３８の回転と同時に回転される操作ギア２１が設けられている。また、操作ギア２１の後面側の周縁近傍には、操作ギア２１の後方側に棒状に突出された操作ピン２２が設けられている。【００７８】
また、操作ギア２１は、操作ギア２１に隣接して設置される被係合片３４に係合される係合片３６を有している。この係合片３６は、操作ギア２１の中心から操作ギア２１の外周側に向けて延設されているとともに、外周側の先端部に近づくにつれて幅が徐々に狭まる板状に形成されている。また、係合片３６と操作ギア２１とは、回転軸部７３を介し互いに固定されている。【００７９】
係合片３６は、摘み部３８が所定の角度の間を回転されているときに、係合片３６の先端部が被係合片３４に係合されるようになっている。すなわち、操作ギア２１の係合片３６は、操作ギア２１が所定の角度回転されている間は、係合片３６が被係合片３４に係合されて係合状態となり、この係合状態のままさらに操作ギア２１が所定の角度を超えて回転されると、係合片３６と被係合片３４との係合が解除されるようになっている。【００８０】
また、被係合片３４は、その中心から外周側に向けて延設された略長方形の板状に形成されているとともに、被係合片３４の先端部が操作ギア２１の係合片３６に係合されるようになっている。さらに、被係合片３４と傘歯車４２とは、前後方向を向く連動軸３７を介し互いに固定されている。【００８１】
また、発電装置６０の取付金具６３の右端部には、左右方向を向く回転軸４１が回転されることで発電がなされる本発明の発電部としての発電機４０が取り付けられている。この発電機４０の回転軸４１には、傘歯車４２に直交して噛合する傘歯車４４と、係合体４５とが固定されており、発電機４０は、傘歯車４２，４４を介した回転軸４１の回転により駆動されて発電するようになっている。【００８２】
また、発電機４０の前側には伸長バネであるコイルバネ４８が配設されており、このコイルバネ４８は、一端が係止材を介して被係合片３４に係止されるとともに、他端が固定ピン５０を介して取付金具６３に係止されている。【００８３】
図２１（ｂ）に示すように、取付金具６３における後端部には、回転軸により回転自在となっている略円形状をなす回転体１９が設けられている。この回転体１９は、その一部が直線状に切り欠かれた切欠部５２（非規制部位）が形成されている。図２１（ｃ）〜（ｅ）に示すように、回転体１９が回転され、その切欠部５２が下方位置にあるときには、動作部材１３は、その係止部が什器１の受け座１７から脱離される位置まで、その動作経路中を移動できる。一方で、回転体１９の切欠部５２が上方位置にあるときには、回転体１９の一部である規制部５２ａ（規制部位）が動作部材１３の移動経路中に配置されて、動作部材１３の接触部１５ａが回転体１９に接触して動作部材１３の移動動作が規制される。【００８４】
また、特に図示しないが、回転体１９の内部には、磁性を有する永久磁石が固定に設けられている。この永久磁石に外部から磁力が加わることで、回転体１９が回転されるようになっている。さらに図１８（ａ）に示すように、回転体１９の近傍位置には、鉄心の周りに銅線がコイル状に巻かれて形成された電磁石３０が固定配置されている。この電磁石３０に所定のタイミングで電流が通電されることで、回転体１９に磁力が加えられ、切欠部５２が回転可能となっている。【００８５】
上述した認証手段のスイッチ３３および発電装置６の発電機４０、電磁石３０により、図１９に示すような電気回路が形成される。この電気回路では、発電機４０は、２つの電極３１，３１にそれぞれ電線３２，３２が繋がれ、これ等の電線３２，３２を介して電磁石３０のコイルに接続されている。そして、これ等のうち一方の電線３２は、その途中で分岐され、かつ再び合流されるように分岐された分岐線３２ａ，３２ｂを有している。この２つの分岐線３２ａ，３２ｂには、それぞれを流れる電流の方向を一方向に制限する整流器３６ａ，３６ｂが設けられており、各分岐線３２ａ，３２ｂを流れる電流は、正方向または逆方向の異なる方向に流れるようになっている。また、一方の分岐線３２ｂには、上述のスイッチ３３が設けられており、スイッチ３３がＯＮ状態の場合のみ電流が流れる。【００８６】
次に、図２０（ａ）〜（ｄ）に示すように、操作者による認証手段の操作について説明する。先ず図２０（ａ），（ｂ）に示すように、操作者が電源スイッチ７４をバネ部材５３に抗し押圧する操作に伴い、回動体５６の鍔部５６ａに係合された係合体４５が所定角度まで回動する。この係合体４５の回動動作に従って、傘歯車４２，４４を介し連結された被係合片３４が回動するとともに、コイルバネ４８が延び始める。このコイルバネ４８には、電源スイッチ７４の押圧操作に伴う動作が、コイルバネ４８の延長というエネルギーとして蓄えられる。【００８７】
さらに電源スイッチ７４を押圧操作して係合体４５が所定量回転されると、図２０（ｃ）に示すように、回動体５６の鍔部５６ａが係合体４５から外れ、互いの係合状態が断たれる。そして、コイルバネ４８が有する復元力により一気にコイルバネ４８が短縮し、コイルバネ４８に蓄えられたエネルギーが瞬時に放出されて、被係合片３４及び傘歯車４２，４４を介し係合体４５を回転させる。【００８８】
この係合体４５の回転に伴う回転軸４１の回転によって、発電機４０にて発電が行われる。なお、このとき、発電機４０が発電した電力は、直流電流となっており、コンデンサ７５に一時的に蓄電され、この電力は後述する認証操作用に供給される（図１９参照）。【００８９】
図２０（ｄ）に示すように、操作者が押圧していた電源スイッチ７４を離すと、スイッチ本体５４はバネ部材５３の付勢力で前方に戻される。このとき回動体５６は、鍔部５６ａの前側のテーパ面が係合体４５の上端部を乗り上げるようにして、軸部５５回りに回動し、上端部を乗り越えた後、係合体４５に係合可能な元の位置に戻る。【００９０】
次に図１９に示すように、操作者がテンキー９を用い暗証番号を入力操作すると、一時的に蓄電されたコンデンサ７５から電力が供給された制御部３５は、入力された暗証番号が、予め登録された認証番号と一致するか否かを判断する。暗証番号が認証番号と一致して認証が許可された場合には、発電機４０と電磁石３０との間のスイッチ３３がＯＮ状態となる。このように、電源スイッチ７４（第２の操作手段）を操作することで、コイルバネ４８（弾性部材）を利用して、認証手段用の制御部３５に電力を供給することができる。尚、認証手段用の電力は、後述する解錠のための回転体１９を回転駆動させる電力よりも小さくて済むため、コイルバネ４８の伸長させる長さを比較的短く設定しても構わない。更に尚、認証手段用の電力供給部として一次電池を内部に配設してもよい。【００９１】
次に、図２１（ａ）〜（ｅ）を参照して、本実施例３で操作者が解錠操作する際の手順について説明する。【００９２】
先ず、図２１（ａ）に示すように、動作部材１３は、その係合部１８が什器１の受け座１７に挿入されて係止されている施錠位置に位置されているとともに、操作ギア２１の操作ピン２２が動作部材１３の操作孔２３の弧状部２３ａの左端に位置されており、回転体１９は、その切欠部５２が上方位置にあって動作部材１３の移動動作を規制している状態を、初期状態として、利用者により解錠操作がなされる際の手順を説明する。【００９３】
上述したように認証手段により認証が許可された場合には、制御部３５により電気回路５のスイッチ３３がＯＮ状態に制御される。その後、操作者は、摘み部３８を時計回りに回転させる。【００９４】
次に、図２１（ｂ）に示すように、操作者によって摘み部３８（操作手段）が時計回りに所定の角度回転されると、操作ギア２１の係合片３６が被係合片３４の上方側に係合される。その後、摘み部３８が更に所定の角度まで回転される間、係合片３６が被係合片３４を押し下げられて、操作ギア２１の回転力が被係合片３４および傘歯車４２，４４を介して回転軸４１に伝達され、この回転軸４１の回転に応じて発電用のコイルバネ４８が引き伸ばされて、操作者が摘み部３８を回転させるエネルギーがコイルバネ４８により一時的にエネルギーとして蓄えられる。【００９５】
なお、この間、回転体１９の切欠部５２は図２１（ｂ）に示すように上方位置にあり、動作部材１３の移動動作が規制されている。すなわち、回転体１９は規制状態が維持されているとともに、動作部材１３は施錠位置に位置されている。【００９６】
また、特に図示しないが、操作ギア２１の歯部に例えばロータリーダンパーギアの歯部を噛合し、当該ロータリーダンパの制動力により、操作ギア２１の回転が所定速度以下となるように制動をかけるようにしてもよい。【００９７】
そして、図２１（ｃ）に示すように、摘み部３８が時計回りに更に所定の角度回転されると、操作ギア２１の係合片３６と被係合片３４との係合状態が解除される。すると、発電用のコイルバネ４８の引き伸ばしが終わり、コイルバネ４８に蓄えられていたエネルギーが瞬間的に解放されて、コイルバネ４８が復元力により縮み始めて、回転軸４１が反時計回りに回転し、発電機４０での発電が始まる。そして、コイルバネ４８の復元力により付勢された回転軸４１の回転速度が最も早くなる時点において、図３（ａ）に示すようなピークを有する誘導電流が発生する。このコイルバネ４８により本発明の弾性部材が構成される。なお、ここまでの間、動作部材１３は施錠位置にある。【００９８】
発電機４０が発電した電力は、分岐線３２ｂのスイッチ３３および整流器３６ｂを介して回転体１９の近傍に配置された電磁石３０に供給されるとともに、電磁石３０は一時的に磁化されて、所定の磁場を発生させる。【００９９】
そして、回転体１９の内部の永久磁石が磁力の影響を受けて、回転体１９が回転され、回転体１９の向きが切り換わる。すなわち、図２１（ｃ）に示すように、回転体１９の切欠部５２が下方位置に移動して、動作部材１３の移動動作の規制が解除された状態となる。【０１００】
また、本実施例では、施解錠操作において、摘み部３８が所定の角度の間を回転操作されることにより、コイルバネ４８が一定の長さ伸びるようになっているので、利用者による摘み部３８の操作具合（摘み部３８に加えられる力や回転速度）によらず、コイルバネ４８には一定のエネルギーが蓄えられる。そして、コイルバネ４８の復元力のみを利用して発電機４０により発電させているので、利用者による摘み部３８の操作具合によらず、ほぼ一定のピークを有する誘導電流が生じる。したがって、電磁石３０で生じる磁場の強さもほぼ一定となり、回転体１９は、利用者による摘み部３８の操作具合によらず、毎回一定の速度で回転される。【０１０１】
また、規制部位による規制状態とは動作部材１３が所定の動作経路中を通過できない状態のことであり、非規制部位による規制解除状態とは動作部材１３が所定の動作経路中を通過できる状態のことであって、例えば規制解除状態とは、動作経路中に規制部材があっても、動作部材１３に接触することで該規制部材が押し出され、動作部材１３が動作経路中を通過できる状態であってもよい。【０１０２】
次に、図２１（ｄ）に示すように、摘み部３８が時計回りに更に所定の角度回転されると、操作ギア２１の操作ピン２２が、動作部材１３の操作孔２３の線状部２３ｂに沿いながら移動しつつ、動作部材１３を右方向に押して移動させる。このとき、動作部材１３は、利用者による摘み部３８の操作に応じた速度で移動される。【０１０３】
また、特に図示しないが、操作ギア２１の歯部がロータリーダンパの歯部に噛合されていれば、操作ギア２１の回転速度が一定程度減速するように制動がかけられるので、係合片３６と被係合片３４との係合状態が解除された直後において、操作ギア２１を回転させる際の抵抗が急激に減少されることはない。このロータリーダンパのように制限手段が構成されれば、利用者が摘み部３８を過剰な力や速さで回し続けてしまい、回転体１９の切り換わりが完了する前に、動作部材１３が回転体１９と接触してしまうことが回避される。【０１０４】
そして、動作部材１３が解錠位置に達すると、動作部材１３の係合部１８が什器１の受け座１７から脱せられ、引出し２が開放可能になる。【０１０５】
さらに、図２１（ｅ）に示すように、操作ピン２２が操作孔の端部に接触するまで、摘み部３８が時計回りに更に所定の角度回転されると、摘み部３８の操作に応じた速度で、動作部材１３が更に移動されて、本実施例で動作部材１３が移動される範囲の最右端に到る。これにより、解錠操作が終了する。なお、この間、動作部材１３は解錠位置に位置しており、動作部材１３が最右端に到る前であっても、引出し２は開放可能である。【０１０６】
なお、利用者により解錠操作が行われる際には、先ず認証手段で認証が行われるが、利用者によりテンキー９で暗証番号が入力されて認証が拒否された場合には、電気回路における発電機４０と電磁石３０との間のスイッチ３３がＯＦＦ状態となる。この状態で利用者により摘み部３８が回転されると、操作ギア２１及び回転軸４１は回転されるが、ＯＦＦ状態のスイッチ３３と分岐線３２ａの整流器３６ａにより電磁石３０に電流が流れることが妨げられて磁力が生じないため、回転体１９は回転されず、規制状態が維持される。したがって、動作部材１３が右方向へ移動されるとその接触部１５ａが回転体１９に接触するので、動作部材１３の移動が規制される。すなわち、動作部材１３が施錠位置に位置されたままの状態が維持されて、動作部材１３の係合部１８が、什器の側板１６の受け座１７に係止された状態となっており、利用者は引出し２を開放できない。【０１０７】
次に、錠装置により什器１を施錠する際の手順について説明する。利用者が施錠操作を行う際には、認証手段の操作は不要である。先ず、解錠操作が終了された状態にある摘み部３８が、利用者により反時計回りに回転されると、解錠位置にある動作部材１３が操作ギア２１の操作ピン２２によって左方向に押され、動作部材１３の係合部１８が什器の受け座１７に係止される。すなわち、動作部材１３が施錠位置に移る。【０１０８】
そして、摘み部３８が反時計回りに更に回転されると、操作ギア２１の係合片３６が被係合片３４の下方側に係合される。そして、係合片３６が被係合片３４を押し上げてコイルバネ４８を引き伸ばし、コイルバネ４８によりエネルギーが一時的に蓄えられる。なお、このとき、操作ギア２１や回転軸４１の回転方向は、上述した解錠操作時とは逆方向になっている。【０１０９】
その後、係合片３６と被係合片３４との係合状態が解除され、コイルバネ４８に蓄えられたエネルギーが瞬間的に解放されて、コイルバネ４８が復元力により縮み、回転軸４１が時計回りに回転されて、本実施例３の電気回路では、図３（ｂ）に示すようなピークを有して、上述した解錠時とは逆方向の誘導電流が分岐線３２ａの整流器３６ａを介して流れる。そして、その電流が電磁石３０に供給され、電磁石３０が一時的に磁化されて、前述した解錠時とは逆の磁場が発生する。この磁場により、回転体１９が回転されて、回転体１９の向きが切り換わる。すなわち、回転体１９の切欠部５２が上方位置に移動して、動作部材１３の移動動作が規制される状態となることで、施錠位置にある動作部材１３の移動が規制されて、引出し２が開放不能になる。【０１１０】
以上、本実施例の発電装置では、磁極を有する回転体１９が、発電機４０による発電に伴い磁化された電磁石によって向きを変えるため、回転体１９の制御を容易にでき、動作部材を規制する規制部位と非規制部位とを切り換えるだけで、動作部材の移動規制または許容を確実に行うことができる。また、回転体１９が切り換えられるタイミングを、摘み部３８の機械的な動きから容易に分離して、回転体１９の状態を切り換える制御の自由度を向上できる。なおかつ、回転体１９の切り換えに、摘み部３８の操作によって発電がなされる発電機４０（発電部）から供給される電力が利用されることで、外部からの電力供給を必要とせずに、利用者による摘み部３８の操作のみで、施解錠を行うことができる。【０１１１】
また、コイルバネ４８（弾性部材）によって、摘み部３８の操作によるエネルギーが一時的に蓄えられて、そのエネルギーが瞬間的に放出されることで、利用者による摘み部３８の操作具合によらず、回転体１９の状態を切り換えるために必要な電力が所定のタイミングで安定的に供給されて、確実に施解錠を行うことができるばかりか、操作者の操作具合によらずに安定した発電量を確保することができる。【０１１２】
また、テンキー９（認証手段）により認証が許可された場合に、回転体１９を動作させることができるため、テンキー９（認証手段）を出力動作のためのキーとして利用することができる。【０１１３】
また、出力動作を行うための電力を供給する発電機４０が、電力供給部を兼ねており、認証手段用の制御部３５にも電力を供給するため、電力供給のための構成品数を減らし構造を単純化できる。【０１１４】
以上、本発明の実施例を図面により説明してきたが、具体的な構成はこれら実施例に限られるものではなく、本発明の要旨を逸脱しない範囲における変更や追加があっても本発明に含まれる。【０１１５】
例えば、前記実施例では、電線３２の分岐線３２ｂにスイッチ３３が設けられ、利用者が解錠操作を行う際に、認証手段による認証が必要であるが、電線３２の分岐線３２ｂにスイッチ３３を設けずに、他方の分岐線３２ａにスイッチを設けて、利用者が施錠操作を行う際に、認証手段による認証が必要となるように構成してもよい。【０１１６】
また、前記実施例では、エネルギーを一時的に蓄える弾性部材としてコイルバネ２５，４８が適用され、コイルバネ２５，４８に機械的なエネルギーが蓄積されているが、例えばエネルギー蓄積手段として、電気的なエネルギーを蓄積するように構成されてもよい。【０１１７】
また、前記実施例では、発電部として発電機６８，４０が適用されているが、例えば発電部は、圧電素子と可動部材とから成り、放出されたエネルギーによって移動される可動部材を用いて前記圧電素子を殴打することにより、電力を供給するようにしてもよい。
【符号の説明】
【０１１８】
１                什器
２                扉
３                取手部
４                摘み部（操作手段）
５                電気回路
６，６ｃ，６０    発電装置
７                動作部材
８                受け座
９                テンキー（認証手段）
１０              インジケータ（認証手段）
１１              太陽電池
１２              前面板
１３              動作部材
１４              案内部
１５              胴体部
１５ａ            接触部
１６              側板
１７              受け座
１８              係合部
１９              回転体（作動部）
２０              長孔
２１              操作ギア
２２              操作ピン
２３              操作孔
２３ａ            弧状部
２３ｂ            線状部
２５              コイルバネ（弾性部材）
２６              回転軸
２７              回転体（作動部）
２８              切欠部（非規制部位）
２８ａ            規制部（規制部位）
２９              永久磁石
３０              電磁石
３１              電極
３２              電線
３２ａ，３２ｂ    各分岐線
３３              スイッチ
３４              被係合片
３５              制御部（認証手段）
３６              係合片
３６ａ，３６ｂ    整流器
３７              連動軸
３８              摘み部（操作手段）
３９              取付金具
４０              発電機（発電部）
４１              回転軸
４２，４４        傘歯車
４５              係合体
４８              コイルバネ（弾性部材）
５０              固定ピン
５２              切欠部（非規制部位）
５２ａ            規制部（規制部位）
５３              バネ部材
５４              スイッチ本体
５５              軸部
５６              回動体
５６ａ            鍔部
６０              発電装置
６３              取付金具
６５              操作ギア
６６              歯部
６７              連動軸
６８              発電機（発電部）
６９              発電ギア
７０              歯部
７１              駆動軸
７２              把持部
７３              回転軸部
７４              電源スイッチ
７５              コンデンサ
１０１            ラッチロッド
１０２            ラッチ爪
１０３            制御片
【図１】
2013085057.tif 000003
【図２】
2013085057.tif 000004
【図３】
2013085057.tif 000005
【図４】
2013085057.tif 000006
【図５】
2013085057.tif 000007
【図６】
2013085057.tif 000008
【図７】
2013085057.tif 000009
【図８】
2013085057.tif 000010
【図９】
2013085057.tif 000011
【図１０】
2013085057.tif 000012
【図１１】
2013085057.tif 000013
【図１２】
2013085057.tif 000014
【図１３】
2013085057.tif 000015
【図１４】
2013085057.tif 000016
【図１５】
2013085057.tif 000017
【図１６】
2013085057.tif 000018
【図１７】
2013085057.tif 000019
【図１８】
2013085057.tif 000020
【図１９】
2013085057.tif 000021
【図２０】
2013085057.tif 000022
【図２１】
2013085057.tif 000023
【国際調査報告】
2013085057.tif 000024
2013085057.tif 000025